(57)【特許請求の範囲】
【請求項１】
処理空気を通す直線状の多数の通路が全体に有り、可逆的な吸放湿機能を備えた静止型の除湿器を出口端と入口端とが室内に開口した通風路の途中に介在させ、この通風路の上記除湿器より入口端側には、当該通風路に入口端から上記除湿器の各通路を経て出口端へ向う空気流を形成する送風機を組込み、この通風路の上記除湿器より出口端側には、当該部を通過する空気を昇温するヒータを組込み、この通風路の上記除湿器と上記送風機との間には、ダンパにより開閉でき、室外へ連絡する排気通路を連絡させ、この通風路の排気通路との連絡部と上記送風機との間には通風路の当該部を開閉するもう一つのダンパを設け、このダンパの通風路の閉止と、上記排気通路の前記ダンパの開放により、上記送風機によって吸込んだ空気流を上記ヒータ側から除湿器へ導入して上記排気通路から室外へ出す再生用通路を設けたことを特徴とする静止型除湿装置。
【請求項２】
処理空気を通す直線状の多数の通路が全体に有り、可逆的な吸放湿機能を備えた静止型の除湿器を両端の開口端がそれぞれ室内に開口した通風路の途中に介在させ、この通風路の上記除湿器を境とする一方の上記開口端側には、当該通風路に一方の開口端から上記除湿器の各通路を経て他方の開口端へ向う空気流を形成する軸流式の送風機を組込み、この通風路の上記除湿器と上記送風機との間には、当該部を通過する空気を昇温するヒータを組込み、上記通風路の上記除湿器を境とする他方の開口端側には、ダンパで開閉でき、室外へ連絡する排気通路を連絡させ、この通風路の排気通路との連絡部と上記他方の開口端とを交互に開閉するダンパを設け、上記ヒータが臨む部分と上記ダンパで開閉される開口端とを上記除湿器を跨いで連絡する開閉手段を備えたバイパスを設け、上記送風機を交互に正逆転させ風向きを反対にすることを特徴とする静止型除湿装置。
【請求項３】
請求項１又は請求項２のいずれかに記載の静止型除湿装置であって、ヒータの近くの通風路に補助ヒータを設けたことを特徴とする静止型除湿装置。
【請求項４】
請求項１又は請求項２のいずれかに記載の静止型除湿装置であって、除湿器の通路端の両側近傍にそれぞれ湿度センサを設け、これらの湿度センサの検出値の差に基づき除湿器への空気の送り込み方向を制御器により交互に切換えるようにしたことを特徴とする静止型除湿装置。
【請求項５】
請求項１又は請求項２のいずれかに記載の静止型除湿装置であって、除湿器の通路端の両側近傍にそれぞれ温度センサを設け、これらの温度センサの検出値に基づき除湿器への空気の送り込み方向を制御器により交互に切換えるようにしたことを特徴とする静止型除湿装置。
【発明の詳細な説明】
【０００１】
【発明の属する技術分野】
本発明は、静止型除湿器を組込んだ除湿装置の技術分野に属するものである。
【０００２】
【従来の技術】
上記この種の装置としては、例えば浴室を乾燥雰囲気にして衣類等の乾燥室として利用できるようにする乾燥装置が知られており、除湿器が回転するものとしないものとに大別できる。前者は、例えば実開平６―１０７８２号公報や、特開平７―１８０９５６号公報に示されているように、可逆的な吸湿と放湿とが可能な除湿ロータを除湿器として使ったものである。後者は、例えば特開平５―１６４３５９号公報や、特開昭６３―２８７５３２号公報に示されているように、可逆的な吸湿と放湿とが可能な静止型の除湿器を使ったものである。
【０００３】
除湿ロータによる乾燥装置は、連続的な除湿処理が可能なものの、回転する除湿ロータへ気流を送り込む部分の動シールが必要であり構成が複雑になり、装置も大型になるが、静止型の除湿器によるものは、除湿器が動かない構成であるため、動シールが不要で簡素な構成を採ることができ製造も比較的容易である。
【０００４】
除湿器自体は、回転型も静止型もシリカゲル等の吸湿剤を付着させたコルゲート材やハニカム材を巻成形し、円柱状に構成したり、積層して六面体のブロックとして構成したりしている。こうした構成の除湿器の通路に処理空気を通せば、除湿され乾燥空気が得られる。また、吸湿した除湿器の通路に加熱した空気を通せば、除湿器は放湿され、再生されて再び除湿機能を発揮する。
【０００５】
特開昭６３―２８７５３２号公報に示された静止型除湿器による除湿技術は、静止型の除湿器に室内の空気を通した後、再び室内へ戻す除湿過程と、室内又は室外の空気を加熱した後に除湿器に通し、室外へ排気する再生過程とを交互に繰り返すようにしたものである。この技術を応用した乾燥装置は、図１３に示すように静止型の除湿器１０１が室内空気を循環させる通風路１０２中に通風可能に設けられ、通風路１０２に設けられたダンパ１０３を切換えて除湿・再生（換気）を交互に繰り返すように構成されている。除湿器１０１には除湿過程においても再生過程においても同方向の空気流が流れ込み、除湿器１０１の上流側には再生過程で空気流を加熱するヒータ１０４が設けられている。
【０００６】
【発明が解決しようとする課題】
上記のような従来の静止型の除湿器１０１を使った乾燥装置は、除湿器１０１自体の除湿機能を十分に引き出せず、性能に不満が残るものであった。即ち、この種の除湿器１０１の吸湿能力は温度に影響され、温度が低い程吸湿能力が高い特性を有するが、除湿過程と再生過程での除湿器１０１を流れる気流の向きが同一方向であるため、再生過程から除湿過程へ移行する際には、いつも再生過程で高温になった側から気流が流れ込むことになり、除湿器１０１の特性を生かし切れない。
【０００７】
また、乾燥装置には従来の技術の項でも触れたように再生過程を行なう構成を利用して換気も行ない得るようにしたものも多いが、上記した従来の静止型乾燥装置では、換気運転においても除湿器１０１を介して室内空気を排出することになるため、小風量の換気しかできず、大風量での換気を必要とする場合には対応することができないものである。
【０００８】
本発明は上記した従来の問題点を解消するためになされたもので、その課題とするところは、静止型の除湿器の除湿機能をより良く引き出すことができる静止型除湿器を使った除湿方法を活用した静止型除湿装置を得ることであり、その静止型除湿装置の機能の向上を図ることであり、単一のヒータで除湿器の再生と暖房とが実施できる構成の簡素な静止型除湿装置を得ることであり、大風量の換気も可能な静止型除湿装置を得ることであり、除湿と再生の切換えを的確に行ないうる静止型除湿装置を得ることである。
【０００９】
【課題を解決するための手段】
前記課題を達成するために請求項１の発明は、処理空気を通す直線状の多数の通路が全体に有り、可逆的な吸放湿機能を備えた静止型の除湿器を出口端と入口端とが室内に開口した通風路の途中に介在させ、この通風路の除湿器より入口端側には、当該通風路に入口端から除湿器の各通路を経て出口端へ向う空気流を形成する送風機を組込み、この通風路の除湿器より出口端側には、当該部を通過する空気を昇温するヒータを組込み、この通風路の除湿器と送風機との間には、ダンパにより開閉でき、室外へ連絡する排気通路を連絡させ、この通風路の排気通路との連絡部と送風機との間には通風路の当該部を開閉するもう一つのダンパを設け、このダンパの通風路の閉止と、排気通路のダンパの開放により、送風機によって吸込んだ空気流をヒータ側から除湿器へ導入して排気通路から室外へ出す再生用通路を設ける手段を採用する。
【００１０】
上記手段の採用により、ダンパを開閉することにより反対向きの空気流を除湿器に流入させることができる。ヒータ側が下流側となる空気流にすれば、除湿器により除湿した空気を室内に供給して室内を乾燥雰囲気にすることができ、ヒータを運転すれば暖気により室内を暖房雰囲気にすることができる。また、再生用通路を開放し、排気通路を開放し、ヒータを運転すれば加熱した空気流により除湿器を再生させることができ、再生に供した空気は排気通路から排気されるので室内の換気も行なわれる。さらに、再生用通路を閉止し、排気通路を開放させれば、送風機による空気流の大半を除湿器を通さずに排気通路へ送り込むことができる。
【００１１】
前記課題を達成するために請求項２の発明は、処理空気を通す直線状の多数の通路が全体に有り、可逆的な吸放湿機能を備えた静止型の除湿器を両端の開口端がそれぞれ室内に開口した通風路の途中に介在させ、この通風路の除湿器を境とする一方の開口端側には、当該通風路に一方の開口端から除湿器の各通路を経て他方の開口端へ向う空気流を形成する軸流式の送風機を組込み、この通風路の除湿器と送風機との間には、当該部を通過する空気を昇温するヒータを組込み、通風路の除湿器を境とする他方の開口端側には、ダンパで開閉でき、室外へ連絡する排気通路を連絡させ、この通風路の排気通路との連絡部と他方の開口端とを交互に開閉するダンパを設け、ヒータが臨む部分とダンパで開閉される開口端とを除湿器を跨いで連絡する開閉手段を備えたバイパスを設け、送風機を交互に正逆転させ風向きを反対にする手段を採用する。
【００１２】
上記手段の採用により、送風機を正逆転させることにより反対向きの空気流を除湿器に流入させることができる。ダンパで排気通路を閉止し、ヒータ側が下流側となる空気流にすれば、除湿器により除湿した空気を室内に供給して室内を乾燥雰囲気にすることができる。この状態でヒータを運転させれば、暖気により室内を暖房雰囲気にすることができる。また、ダンパで通風路の開口端を閉止し、排気通路を開放させてヒータを運転し、ヒータ側が上流側となる空気流にすれば加熱した空気流により除湿器を再生させることができ、再生に供した空気は排気通路から排気されるので室内の換気も行なわれる。そして、除湿器の再生時にも開閉手段の開放により、バイパスを通じて室内の空気を循環させることができる。
【００１３】
前記課題を達成するために請求項３の発明は、請求項１又は請求項２のいずれかにかかる前記手段におけるヒータの近くの通風路に、補助ヒータを設ける手段を採用する。
【００１４】
上記手段の採用により、請求項１又は請求項２のいずれかにかかる前記機能とともに、暖房機能の向上とともに、除湿時に補助ヒータを運転させて室内を昇温することができる。
【００１５】
前記課題を達成するために請求項４の発明は、請求項１又は請求項２のいずれかにかかる前記手段における除湿器の通路端の両側近傍に、それぞれ湿度センサを設け、これらの湿度センサの検出値の差に基づき除湿器への空気の送り込み方向を制御器により交互に切換える手段を採用する。
【００１６】
上記手段の採用により、請求項１又は請求項２のいずれかにかかる前記機能とともに、除湿器の吸湿・再生を的確に掴み、除湿・再生を自動的に切換えることができる。
【００１７】
前記課題を達成するために請求項５の発明は、請求項１又は請求項２のいずれかにかかる前記手段における除湿器の通路端の両側近傍に、それぞれ温度センサを設け、これらの温度センサの検出値の差に基づき除湿器への空気の送り込み方向を制御器により交互に切換える手段を採用する。
【００１８】
上記手段の採用により、請求項１又は請求項２のいずれかにかかる前記機能とともに、除湿器の吸湿・再生を的確に掴み、除湿・再生を自動的に切換えることができる。
。
【００２５】
【発明の実施の形態】
次に本発明の実施の形態を図面に基づいて説明する。
発明の実施の形態１．
この実施の形態１の除湿方法は、可逆的な吸放湿機能をもった図１に示すような構造の除湿器１を利用して図２に示すようにして室内の除湿を行なうものである。この除湿方法に適用される除湿器１は、図１に示すようにセラミックス等の無機質繊維にシリカゲル等の吸湿剤を重合反応を利用して結合させたコルゲート構造材やハニカム構造材を積層して、処理空気を通す直線状の多数の通路２が全体にわたって分布する直方体状や立方体状に構成したものである。各通路２は平行状でそれらの開口端は全て除湿器１の対向する二面に開口している。
【００２６】
上記した構成の除湿器１を、図２に示すように通風路３内に介在させその各通路２が通風路３の一部を構成するようにして静止型の除湿器１とする。この静止型の除湿器１に除湿過程と再生過程を交互に繰り返えさせる。除湿過程は、室内の空気を送風機４により吸込み、通風路３において除湿器１を通過させて除湿して室内へ戻す過程である。再生過程は、送風機４により吸込んだ室内の空気を通風路３に設けた加熱手段としてのヒータ５で１４０℃程度に加熱した後、除湿器１を通過させて室外へ排出する過程である。この実施の形態１の除湿方法の特徴は、除湿過程と再生過程での除湿器１への室内の空気の通過方向を反対向きに行なうことである。
【００２７】
この種の除湿器１の吸湿能力は温度に影響され、温度が低い程吸湿能力が高い特性を有するが、除湿過程と再生過程での除湿器１を流れる気流の向きが同一方向であると、再生過程から除湿過程へ移行する際には、いつも再生過程で高温になった側から除湿過程での空気流が流れ込むことになり、除湿器の上記した特性を生かし切れない。これに対して、除湿過程と再生過程での除湿器１への室内の空気の通過方向を反対向き、即ち対向流的にすると、再生過程を経た除湿器１の除湿過程での流入側の温度の高温化を防止することができ、除湿器１の除湿性能を引き出すことができ、エネルギー効率を上げることができる。
【００２８】
除湿過程の時間は再生過程の時間より若干短く設定され、気流の方向の反転は、ダンパ６の開閉による風路の切換えや、軸流式の送風機の正逆転切換えとダンパとの組み合わせにより行なえば良い。再生過程から除湿過程への移行時に時間的なクッション、即ち短い時間の冷却時間を設定すると、再生過程を経た除湿器１の除湿過程での流入側の温度をより低下させることができ、より一層除湿器１の除湿機能を引き出すことができる。
【００２９】
この実施の形態１の除湿方法によれば、除湿器１の機能性を高めうるばかりでなく、再生過程で使うヒータ５を使い、暖房を行ないうるようにすることもできる。即ち、除湿過程と同じ方向の気流を形成し、加熱手段を動作させれば暖気の室内への吹出しによる暖房が実現する。この時、再生過程で使うヒータ５は除湿器１の下流側に位置することになるので、加熱した気流が除湿器１を通過しないので、除湿器１に熱を奪われることもなく、その寿命を短くしたりすることもないうえ、前述したような理由により除湿過程へ円滑に移行することができる。
【００３０】
以下に記す各実施の形態は、いずれも実施の形態１で示した静止型の除湿器１を使った除湿方法を活用した静止型除湿装置に関するものである。
【００３１】
発明の実施の形態２．
図３はこの実施の形態２の静止型除湿装置を示す横断面構成図であり、図４は同じく縦断面構成図である。この静止型除湿装置は、実施の形態１で示した静止型の除湿器１を、室内吹出口７と室内吸込口８が出口端と入口端として室内にそれぞれ開口した通風路９の途中にその通路２による通風が可能に介在されている。通風路９は浴室１０等の除湿対象となる室の天井裏等に取付けられる本体ケーシング１１内に画成され、その室内吸込口８と室内吹出口７とは本体ケーシング１１の下面に互いに離反して室内に向って開口している。室内吸込口８と室内吹出口７にはグリルが設けられ、室内吸込口８のグリルの内方にはフィルタ１２が装着されている。
【００３２】
この通風路９の除湿器１より室内吸込口８側には、通風路９に室内吸込口８から除湿器１の各通路２を経て室内吹出口７へ向う室内空気による気流を形成する送風機１３が組込まれている。また、通風路９の除湿器１より室内吹出口７側には、当該部を通過する空気を昇温するヒータ１４が通風路９を横断する状態に組込まれている。通風路９の除湿器１と送風機１３との間には、電動ダンパ１５により開閉でき、一端が室外へ連絡する排気通路１６が連絡されている。この排気通路１６の通風路９との連絡部と送風機１３との間には通風路９の当該部を開閉する電動ダンパ１７が設けられている。除湿器１の近傍にはその各通路２で構成される通風路９の部分に並行に再生用通路１８が構成されている。この再生用通路１８は一端が送風機１３の吹出口近くの通風路９に連絡し、他端が室内吹出口７とヒータ１４との間の通風路９に連絡している。通風路９を開閉する電動ダンパ１７は、通風路９の開放により再生用通路１８を閉止し、通風路９の閉止により再生用通路１８を開放する構成である。
【００３３】
ヒータ１４と除湿器１の各通路２の開口端が臨む出入口となる一面との間には、全面に多数の小孔がほぼ均一に分布した金属等の薄板よりなる均一板１９が当該部の通風路９を横切る状態に取付けられている。また、除湿器１の各通路２の開口端が臨む対向面の近傍の通風路９には第１と第２の温度センサ２０，２１が組込まれている。この第１の温度センサ２０と第２の温度センサ２１は本体ケーシング１１に組込まれた制御器２２に接続され、いずれの検出出力も制御器２２に入力される。ヒータ１４及び各電動ダンパ１５，１７並びに送風機１３の動作はこの制御器２２により制御される。
【００３４】
上記構成の静止型除湿装置は、図５に示すように浴室１０等の室の天井面に室内吸込口８と室内吹出口７が臨んで開口するように天井裏の空間を利用して取付けられる。排気通路１６はダクト２３により一端が屋外へ連絡される。この装置は制御器２２により各電動ダンパ１５，１７と送風機１３とヒータ１４が制御され、除湿過程と再生過程の交互の切換えが繰り返されて設置した室内を乾燥雰囲気にする。即ち、除湿過程では送風機１３が運転され、排気通路１６の電動ダンパ１５が閉止維持され、通風路９の電動ダンパ１７が通風路９を開放し、再生用通路１８を閉止する側に動作され、ヒータ１４への通電は断たれている。
【００３５】
これにより、送風機１３により通風路９に室内吸込口８から室内の空気が吸込まれる。この吸込まれた空気は除湿器１の各通路２を図示実線矢印方向から通過し、室内吹出口７から室内へ吹出され、室内空気が循環する。通風路９に介在した除湿器１の各通路２を通過することにより吸込まれた室内の空気は除湿され、乾燥空気として室内へ戻され、これにより室内は乾燥雰囲気が進行する。
【００３６】
除湿過程の後に行なわれる再生過程では送風機１３の運転は継続され、排気通路１６の電動ダンパ１５が開放され、通風路９の電動ダンパ１７が通風路９を閉止し、再生用通路１８を開放する側に動作され、ヒータ１４への通電が行なわれる。これにより、送風機１３により通風路９に室内吸込口８から室内の空気が吸込まれる。この吸込まれた空気は再生用通路１８を経てヒータ１４側から通風路９へ流れ込む。そして一部はヒータ１４を通過して１４０℃程に加熱されて均一板１９でその温度分布が均一化されて除湿器１の各通路２を図示点線矢印方向から通過し、開放している排気通路１６から室外へ排気され、室内を換気する。通風路９に介在した除湿器１の各通路２を熱風が通過することにより先の除湿過程で吸湿した除湿器１の放湿が行なわれ、除湿器１が再生される。
【００３７】
再生用通路１８を経た一部の室内の空気は、室内吹出口７から室内へ戻り、多くはないが室内に循環流を形成する。従って、再生過程でも室内の乾燥が或程度はなされることになる。上記除湿過程と再生過程を交互に繰り返すことにより浴室等を換気とともに乾燥雰囲気にすることができる。浴室１０内に衣類等の被乾燥物２４を吊してこれらを乾燥させる場合、より乾燥の度合いの高い乾燥雰囲気にする方が乾燥時間は短くなる。しかし、被乾燥物２４から奪い取った水分を被乾燥物２４から速やかに引き離して排除することも乾燥時間の短縮に繋る重要な要素でもある。この静止型除湿装置では再生過程でも上述のように一部の空気が循環し、また、排気により剥ぎ取った水分の屋外への排出が行なわれるので、被乾燥物２４からの水分の引き離しが速やかに行なわれ、乾燥時間が短縮する。
【００３８】
除湿過程から再生過程への移行及び再生過程から除湿過程への移行は、第１の温度センサ２０と第２の温度センサ２１の検出値に基づき、制御器２２により行なわれる。除湿過程では除湿が進行するにつれ、吸着熱による温度上昇が少なくなり、除湿器１の吸着能力がなくなれば除湿器１の上流側と下流側の温度は平衡状態となる。これらの温度が平衡になる以前の所定の温度差になった時点で、再生過程へ移行するよう制御器２２が働く。また、再生過程では放湿が進行するにつれ、放湿による温度降下が少なくなり、除湿器１の放湿がなくなれば除湿器１の上流側と下流側の温度は高温で平衡状態となる。これらの温度が平衡になる以前の所定の温度差になった時点で、除湿過程へ移行するよう制御器２２が働く。これにより、除湿器１の吸湿・再生を的確に掴み、除湿・再生を自動的に切換えることができる。
【００３９】
除湿器１の除湿能力は温度に影響され、温度が低い程除湿能力は高いので、再生過程で再生が完全になるまで行なうと、除湿器１の温度が高温で除湿過程に移行することになるので好ましくはない。この実施の形態２の静止型除湿装置は実施の形態１で示した除湿方法を活用したものであり、除湿過程と再生過程では除湿器１を通過する気流の向きを反対にし対向流状にしているので、実施の形態１で示したような効果がそのまま得られる。
【００４０】
上述のように除湿過程では、室内の空気を循環させるものであるため、除湿過程の機能をそのまま使い、除湿過程では通常は使わないヒータ１４を動作させて、室内を暖房することもできる。この場合にも、ヒータ１４が除湿器１より下流側になるこの静止型除湿装置は、温風が除湿器１を通らず除湿器１に熱を奪われないので暖房のためにヒータ１４の熱を有効に働かせることができる。また、長時間の連続的な暖房運転等により除湿器１が熱劣化することも防止できる。この暖房運転は除湿過程に組込んで行なうことも可能である。即ち、室温が低く或いは被乾燥物２４を速く乾燥させたいような場合には、除湿過程でもヒータ１４を働かせ、室温をあげれば水分の蒸発が促進され、乾燥時間を短縮することができる。
【００４１】
また、上述のように再生過程では、室内の空気を排気するので室内の換気が実施されるが、除湿器１を通過させるため小風量の換気しか期待できず、大風量での換気が必要な場合には対応できない。この静止型除湿装置では、電動ダンパ１７を再生用通路１８を閉止する側に切換え、排気通路１６の電動ダンパ１５を開放させて送風機１３を運転させることにより、送風機１３から吹出される室内の空気を除湿器１を殆ど経ないで排気通路１６から室外へ排気することができる。即ち、必要により大風量の換気も実施することができ、拡大した機能を有する。
【００４２】
なお、除湿過程と再生過程の切換えは制御器２２にタイマを組込み、タイマによる設定時間によって行なってもよい。浴室１０の乾燥のための装置では概ね３分間〜５分間程度の除湿過程の後、２分間程度の再生過程を行なうように設定すれば良い。また、第１の温度センサ２０と第２の温度センサ２１を第１の湿度センサ２５と第２の湿度センサ２６に換えても、除湿過程と再生過程間の移行を自動的に行なうことができる。即ち、除湿過程では除湿が進行するにつれ、除湿器１の吸着能力が落ちていき除湿器１の上流側と下流側の湿度はやがては平衡状態となる。これらの湿度が平衡になる以前の所定の湿度差になった時点で、再生過程へ移行するよう制御器２２を働かせればよい。また、再生過程では放湿が進行するにつれ、放湿量が少なくなり、除湿器１の上流側と下流側の湿度はやがては平衡状態となる。これらの湿度が平衡になる以前の所定の湿度差になった時点で、除湿過程へ移行するよう制御器２２をはたらかせれば温度センサによるものと同様に除湿・再生を自動的に切換えることができる。
【００４３】
均一板１９は、ヒータ１４による空気流の熱分布のむらを解消し、均一化して除湿器１に送り込むための機能部品であり、均一板１９を設けることにより再生過程の再生機能を安定化でき、また、ヒータ１４の輻射熱による除湿器１の劣化を防止することができるが、圧力損失も伴うものであるので必要不可欠な部品ではなく、取り外しても前述した各機能に支障は及ばない。
【００４４】
除湿過程と同様に各電動ダンパ１５，１７を切換え、ヒータ１４を停止させて送風機１３を運転させれば、室内の空気を循環させながら一部を換気することもできる。これにより排気通路１６を経て適度な風量での少風量換気が行なわれ、これとともに再生用通路１８と室内吹出口７により室内の空気を循環させることができる。入浴後の浴室１０などでは、この換気運転で壁面や床等の乾燥を図ることができ、カビの発生などを抑制することが可能である。
【００４５】
発明の実施の形態３．
この実施の形態３の静止型除湿装置は、上記した実施の形態２で示した静止型除湿装置の暖房機能をより向上させたもので、暖房機能にかかる構成以外は実施の形態２で示したものと同じである。従って、実施の形態２のものと同じ部分については同一の符号を用い、それらについての説明は省略する。
【００４６】
この静止型除湿装置は、図６，７に示すように本体ケーシング１１の室内吹出口７の近傍に補助ヒータ２７を組込んだ構成である。除湿器１の再生はヒータ１４を動作させて行なうことは、実施の形態２のものと同じである。この補助ヒータ２７はヒータ１４とともに動作させることにより、速やかな暖房を実施することができる。また、室温が低く或いは被乾燥物２４を速く乾燥させたいような場合に、補助ヒータ２７のみを動作させることにより、室温を上げることができ、水分の蒸発を促進し乾燥時間を短縮することができる。これ以外の構成及び機能は実施の形態２のものと同じであるのでそれらの説明は省略する。
【００４７】
発明の実施の形態４．
この実施の形態４の静止型除湿装置は、軸流式の送風機の正逆転により除湿過程と再生過程での除湿器１への空気の流れを反対にしたもので、基本的には上記した実施の形態２で示した静止型除湿装置と同じである。従って、実施の形態２のものと同じ部分については同一の符号を用い、それらについての説明は省略する。
【００４８】
この実施の形態４の静止型除湿装置は、図８，９に示すように実施の形態１で示した静止型の除湿器１を、室内吹出口７と室内吸込口８が出口端と入口端として室内にそれぞれ開口した通風路９の途中にその通路２による通風が可能に介在されている。通風路９は浴室等の除湿対象となる室の天井裏等に取付けられる本体ケーシング１１内に画成され、その室内吸込口８と室内吹出口７とは本体ケーシング１１の下面に互いに離反して室内に向って開口している。室内吸込口８と室内吹出口７にはグリルが設けられ、それらのグリルの内方にはそれぞれフィルタ１２が装着されている。
【００４９】
この通風路９の除湿器１より室内吹出口７側には、通風路９に気流を形成する軸流式の送風機２８が組込まれている。この送風機２８は制御器２２により交互に正逆転運転される。通風路９の除湿器１より室内吹出口７側には、当該部を通過する空気を昇温するヒータ１４が通風路９を横断する状態に組込まれている。通風路９の除湿器１と室内吸込口８との間には、電動ダンパ２９により開閉でき、一端が室外へ連絡する排気通路１６が連絡されている。この電動ダンパ２９は、通風路９の室内吸込口８側の開放により排気通路１６を閉止し、室内吸込口８側の閉止により排気通路１６を開放する構成である。
【００５０】
上記構成の静止型除湿装置も実施の形態２のものと同様に浴室１０等の室の天井面に室内吸込口８と室内吹出口７が臨んで開口するように天井裏の空間を利用して取付けられる。排気通路１６はダクトにより一端が屋外へ連絡される。この装置は制御器２２により電動ダンパ２９と送風機２８の正逆転切換えとヒータ１４が制御され、除湿過程と再生過程の交互の切換えが繰り返されて設置した室内を乾燥雰囲気にする。即ち、除湿過程では送風機２８が正転され、排気通路１６が電動ダンパ２９により閉止維持され、通風路９の室内吸込口８が開放され、ヒータ１４への通電は断たれている。
【００５１】
これにより、送風機２８により通風路９に室内吸込口８から室内の空気が吸込まれる。この吸込まれた空気は除湿器１の各通路２を図示実線矢印方向から通過し、室内吹出口７から室内へ吹出され、室内空気が循環する。通風路９に介在した除湿器１の各通路２を通過することにより吸込まれた室内の空気は除湿され、乾燥空気として室内へ戻されこれにより室内は乾燥雰囲気が進行する。
【００５２】
除湿過程の後に行なわれる再生過程では送風機２８が逆転され、排気通路１６が電動ダンパ２９の動作により開放され、通風路９の室内吸込口８は電動ダンパ２９により閉止され、ヒータ１４への通電が行なわれる。これにより、室内吹出口７から室内の空気が通風路９に吸込まれる。この吸込まれた空気はヒータ１４を通過して加熱され、除湿器１の各通路２を図示点線矢印方向から通過し、開放している排気通路１６から室外へ排気され、室内を換気する。通風路９に介在した除湿器１の各通路２を熱風が通過することにより先の除湿過程で吸湿した除湿器１の放湿が行なわれ、除湿器１が再生される。
【００５３】
送風機２８を正転させ、電動ダンパ２９により排気通路１６を閉止し、ヒータ１４に通電させれば、室内を暖房することができる。これ以外は実施の形態２のものと基本的には同じである。即ち、均一板１９を設けることもでき、第１と第２の温度センサ２０，２１により除湿過程と再生過程の交互の切換えを行なうこともできる。ただし、実施の形態２のものと異り大風量での換気は無理である。
【００５４】
発明の実施の形態５．
この実施の形態５の静止型除湿装置は、実施の形態４のものと同様に軸流式の送風機２８の正逆転により除湿過程と再生過程での除湿器１への空気の流れを反対にしたもので、基本的には上記した実施の形態４で示した静止型除湿装置と同じである。従って、実施の形態４のものと同じ部分については同一の符号を用い、それらについての説明は省略する。
【００５５】
図１０，１１に示すこの実施の形態５の静止型除湿装置は、再生過程でも一部の空気を室内へ送り、乾燥に有利な循環流を形成するようにしたものである。即ち、通風路９に除湿器１を跨ぐバイパス３０が設けられている。このバイパス３０にはこれを開閉するダンパ３１が組込まれ、ダンパ３１の開放により、電動ダンパ２９が通風路９の室内吸込口８側を閉止していてもバイパス３０を通じて通風路９の室内吹出口７と室内吸込口８とが連絡する。これにより、実施の形態２で示したものと同様に、再生過程でも一部の空気を循環させ、乾燥の促進を図ることができる。これ以外の構成及び機能は実施の形態４のものと同じであるのでそれらの説明は省略する。
【００５６】
発明の実施の形態６．
この実施の形態６の静止型除湿装置は、前述した各実施の形態で示した静止型除湿装置を室外に取付ける構成にしたものであり、それ以外の構成は上述した各実施の形態で示したものと同じである。従って、各実施の形態の静止型除湿装置と同じ部分については同一の符号を用いそれらについての説明は省略する。
【００５７】
図１２に示すこの実施の形態６の静止型除湿装置は、実施の形態２で示したものの送風機１３、除湿器１、ヒータ１４等の機能部品を組込んだ本体３２を室外に取付け得る構成とし、この本体３２に対し室内吸込口８と室内吹出口７と、それらに繋る通風路９の一部を構成した室内端末器３３を接続して機能態となるようにしたものである。室内端末器３３は室内の内壁面や天井面等に取付けられ、本体３２は天井裏や屋外等、当該室の室外に取付けられる。本体３２と室内端末器３３とは壁や天井板等を貫通する連絡ダクト等で接続される。これ以外の構成は上述した各実施の形態と同じであるのでそれらの説明は省略する。
【００５８】
この実施の形態６の静止型除湿装置によれば、室内を広く使うことができ、比較的狭隘な浴室１０等に対しても浴室１０等を狭めることが少なく重宝であるばかりでなく、浴室１０に適用する場合の湿気や結露等による水対策を本体３２に講じずにすみ、本体３２の構成を簡素化できる利点がある。これ以外の機能及び利点は前記した各実施の形態で示したものと同じであるのでそれらの説明は省略する。
【図面の簡単な説明】
【図１】発明の実施の形態１の除湿方法に使用する静止型の除湿器を示す斜視図である。
【図２】発明の実施の形態１の除湿方法を示す説明図である。
【図３】発明の実施の形態２の静止型除湿装置の横断面構成図である。
【図４】発明の実施の形態２の静止型除湿装置の縦断面構成図である。
【図５】発明の実施の形態２の静止型除湿装置を設置状態で示す説明図である。
【図６】発明の実施の形態３の静止型除湿装置の横断面構成図である。
【図７】発明の実施の形態３の静止型除湿装置の縦断面構成図である。
【図８】発明の実施の形態４の静止型除湿装置の縦断面構成図である。
【図９】発明の実施の形態４の静止型除湿装置の縦断側面構成図である。
【図１０】発明の実施の形態５の静止型除湿装置の縦断面構成図である。
【図１１】発明の実施の形態５の静止型除湿装置の縦断側面構成図である。
【図１２】発明の実施の形態６の静止型除湿装置の縦断面構成図である。
【図１３】従来の乾燥換気装置の構成を示す断面図である。
【符号の説明】
１  除湿器
２  通路
３  通風路
４  送風機
５  ヒータ
７  室内吹出口
８  室内吸込口
９  通風路
１３  送風機
１４  ヒータ
１５  電動ダンパ
１６  排気通路
１７  電動ダンパ
１８  再生用通路
１９  均一板
２０  第１の温度センサ
２１  第２の温度センサ
２２  制御器
２５  第１の湿度センサ
２６  第２の湿度センサ
２７  補助ヒータ
２８  送風機
２９  電動ダンパ
３０  バイパス
３１  ダンパ
【図１】
0003704778.tif 000002
【図２】
0003704778.tif 000003
【図３】
0003704778.tif 000004
【図４】
0003704778.tif 000005
【図５】
0003704778.tif 000006
【図６】
0003704778.tif 000007
【図７】
0003704778.tif 000008
【図８】
0003704778.tif 000009
【図９】
0003704778.tif 000010
【図１０】
0003704778.tif 000011
【図１１】
0003704778.tif 000012
【図１２】
0003704778.tif 000013
【図１３】
0003704778.tif 000014